(57)【特許請求の範囲】
【請求項１】
基台のブラシ面から突出する複数の突起を備えた毛穴洗浄用ブラシであって、
前記複数の突起の一部又は全部が、硬軟突起付突起であり、
前記硬軟突起付突起は、前記ブラシ面から突出するエラストマーで構成された基部を有し、該突起の先端部分に、エラストマーで構成された第１先端突起、及び第１先端突起を構成するエラストマーより硬い樹脂である硬質樹脂で構成された第２先端突起を有し、
前記硬軟突起付突起は、前記第１先端突起を複数有しており、前記第２先端突起は、前記第１先端突起間に存在するか又は環状に配置された複数の前記第１先端突起に周囲を囲まれている、毛穴洗浄用ブラシ。
【請求項２】
前記第２先端突起は、先端に向けて先細りの形状を有し、先端及び基端における太さが、前記第１先端突起の基端より小さい、請求項１に記載の毛穴洗浄用ブラシ。
【請求項３】
前記硬軟突起付突起としてへら状突起を備え、該へら状突起は、前記基部が扁平な横断面形状を有しており、前記第１先端突起及び前記第２先端突起が、前記扁平な横断面形状の長軸方向に並べて形成されている、請求項１又は２に記載の毛穴洗浄用ブラシ。
【請求項４】
前記硬軟突起付突起として錐台状突起を備え、該錐台状突起は、前記基部が円錐台状又は角錐台状であり、前記先端部分に、前記第１先端突起及び前記第２先端突起を備える、請求項１〜３の何れか１項に記載の毛穴洗浄用ブラシ。
【請求項５】
前記第２先端突起は、前記基部内に一部が配された硬質樹脂における、該基部の先端から突出する部分からなる、請求項１〜４の何れか１項に記載の毛穴洗浄用ブラシ。
【請求項６】
前記第２先端突起を構成する硬質樹脂は、前記基部を、その高さ方向に貫通して存在している、請求項５に記載の毛穴洗浄用ブラシ。
【請求項７】
前記硬軟突起付突起は、エラストマーから形成されたエラストマー部分と、該エラストマーより硬い樹脂である硬質樹脂から形成された硬質樹脂部分とが、２色成形又はインサート成形により一体成形されている、請求項６に記載の毛穴洗浄用ブラシ。
【請求項８】
エラストマーから形成されたエラストマー部分と、該エラストマーより硬い樹脂である硬質樹脂から形成された硬質樹脂部分とを有する底盤部を有し、
前記硬軟突起付突起は、前記底盤部から突出しており、
前記第２先端突起は、前記硬質樹脂から形成されており、
前記基部における前記硬質樹脂からなる部分以外の部分及び前記第１先端突起は、前記エラストマーから形成されている、請求項６又は７に記載の毛穴洗浄用ブラシ。
【発明の詳細な説明】
【技術分野】
【０００１】
本発明は、毛穴洗浄用ブラシに関する。
【背景技術】
【０００２】
洗髪や毛髪の手入れを行う際に使用するヘアブラシとして、例えばブラシを構成する刷毛状の突起の先端に球状体を設けたものや、略円錐形の突起を有するもの、或いは異なる太さと長さを備える突起を組み合わせたもの等、種々の形態のものが知られている。また、近年、頭皮を掻く機能や、毛髪を掻く機能の他に、汚れや臭いの原因となる皮脂を除去したり毛穴を洗浄する機能を有すると共に、頭皮や毛穴に対するマッサージ効果を有する合成樹脂や弾性材料からなる太径ブリッスルと毛束状の細径ブリッスルとを組み合わせたマッサージ用ブラシも開発されている（例えば、特許文献１参照）。
【０００３】
さらに、頭皮のマッサージ効果を向上させるべく、基台に立設されて毛髪を掻き分ける複数の突起を、エラストマーや合成ゴム等の柔軟な素材を用いて形成すると共に、突起の先端部分に複数の小突起を設け、これらの小突起を柔軟に屈曲させながら頭皮に対して多点で接触させるようにした頭皮用ブラシも開発されている（例えば、特許文献２参照）。
【０００４】
そのようなブラシとして、本出願人も、主として毛髪を掻き分ける機能を発揮する複数の突起と、主としてマッサージ効果を発揮する複数の突起とを、柔軟なエラストマー樹脂を用いて基台のブラシ面に異なる形状の突起として突設してなり、優れたマッサージ効果が得られると共に、優れた皮脂の除去機能や毛穴の洗浄機能を発揮することのできる頭皮用ブラシを提案している（特許文献３，４参照）。
【先行技術文献】
【特許文献】
【０００５】
【特許文献１】特開２０００-６０６４０号公報
【特許文献２】特開２００５-１６０６８４号公報
【特許文献３】特開２００７-２８２６８１号公報
【特許文献４】特開２００９-２４０７６８号公報
【発明の概要】
【発明が解決しようとする課題】
【０００６】
前述した特許文献１に記載のマッサージ用ブラシにおいては、ブリッスル束からなる毛穴洗浄用毛束が、エラストマーからなる突起と同一のブラシ面から突出している。そのため、ブラシ面の近傍に指が届きにくく、毛穴洗浄用毛束に絡まった抜け毛を手で取り除きづらい場合があった。
また、エラストマーからなる突起のみを有するブラシでは、マッサージ効果と毛穴洗浄効果とが両立した一層優れたブラシを構成することが難しいことがあった。
【０００７】
従って、本発明の目的は、従来技術が有する種々の課題を解決し得る毛穴洗浄用ブラシを提供することにある。
【課題を解決するための手段】
【０００８】
本発明は、基台のブラシ面から突出する複数の突起を備えた毛穴洗浄用ブラシであって、前記複数の突起の一部又は全部が、硬軟突起付突起であり、前記硬軟突起付突起は、前記ブラシ面から突出するエラストマーで構成された基部を有し、該突起の先端部分に、エラストマーで構成された第１先端突起、及び第１先端突起を構成するエラストマーより硬い樹脂である硬質樹脂で構成された第２先端突起を有する、毛穴洗浄用ブラシ、毛穴洗浄用ブラシを提供するものである。
【発明の効果】
【０００９】
本発明の毛穴洗浄用ブラシは、抜け毛が絡まりにくく、また抜け毛を手で取り除き易く、また毛穴の洗浄機能にも優れている。
【図面の簡単な説明】
【００１０】
【図１】図１は、本発明の一実施形態に係る毛穴洗浄用ブラシの斜視図である。
【図２】図２は、図１に示す毛穴洗浄用ブラシのブラシ面を示す平面図である。
【図３】図３は、図２のＩ-Ｉ線断面図（ブラシ面の長軸方向に沿う断面図）である。
【図４】図４は、図２のＩＩ-ＩＩ線に沿う断面（ブラシ面の短軸方向に沿う断面）を把持部の断面を省略して示す断面図である。
【図５】図５（ａ）は、図１に示す毛穴洗浄用ブラシのへら状突起を示す拡大斜視図、図５（ｂ）は同へら状突起を先端側から視た拡大平面図、図５（ｃ）は、図５（ａ）のＶ-Ｖ線拡大断面図である。
【図６】図６（ａ）は、第１の錐体状突起の拡大斜視図であり、図６（ｂ）は、図６（ａ）のＶＩ-ＶＩ線模式断面図である。
【図７】図７（ａ）は、第２の錐体状突起の拡大正面図であり、図７（ｂ）は、第２の錐体状突起を先端側から見た拡大平面図である。
【図８】図８は、硬軟突起付突起としてのへら状突起の他の例を示す拡大斜視図であり、図５（ａ）相当図である。
【図９】図９（ａ）及び図９（ｂ）は、それぞれ、硬軟突起付突起としての錐台状突起の一例を示す拡大斜視図である。
【図１０】図１０（ａ）は、硬軟突起付突起の更に他の例を示す拡大正面図、図１０（ｂ）は、図１０（ａ）の部分Ｐを更に拡大して示す拡大斜視図である。
【発明を実施するための形態】
【００１１】
以下、本発明をその好ましい実施形態に基づいて説明する。
本発明の第１実施形態の毛穴洗浄用ブラシ１０は、人の頭部の毛穴洗浄用に適した毛穴洗浄用ブラシであり、図１及び図２に示すように、把持部１１を有する基台１２のブラシ面１３に、へら状突起１４と、第１の錐体状突起１５と、第２の錐体状突起１６とが各々複数立設されている。立設とは、立った状態に設けることをいう。
【００１２】
本実施形態の毛穴洗浄用ブラシ１０は、例えば洗髪や毛髪の手入れを行う際に、把持部１１を指の間に挟み込み、ブラシ面１３とは反対側の基台１２の上面に手の平を密着させて、当該上面を覆うようにしながらブラシ１０を把持し、ブラシ面１３に立設した複数種類の突起１４〜１６の先端部分を頭皮に押し当てた状態で、毛髪を掻き分けるようにしつつブラシ１０を動かすことにより、必要に応じて頭皮や毛髪に塗布した洗浄剤、ヘアケア剤、化粧料等の作用と相俟って、皮脂の除去や毛穴の洗浄を効率良く行えるようにすると共に、優れたマッサージ効果が得られるようにするものである。
【００１３】
本実施形態におけるへら状突起１４は、何れも、本発明における「硬軟突起付突起」であり、図１及び図５に示すように、ブラシ面１３から突出するエラストマーで構成された基部１４ａを有し、突起１４の先端部分に、基部１４ａから更に突出する、エラストマーで構成された第１先端突起１４ｂ、及び第１先端突起１４ｂを構成するエラストマーより硬い樹脂である硬質樹脂で構成された第２先端突起１４ｃを有している。「硬軟突起付突起」の「硬軟突起」は、この第１先端突起及び第２先端突起を意味する。
また、へら状突起１４は、基部１４ａが扁平な横断面形状を有しており、第１先端突起１４ｂ及び第２先端突起１４ｃは、前記扁平な横断面形状の長軸方向Ｘに並べて形成されている。
【００１４】
第１先端突起１４ｂは、頭皮等の地肌の洗浄効果と、主としてマッサージ効果を得ることを目的として、基部１４ａ側の基端の直径ｄが、１ｍｍ以上が好ましく、１．５ｍｍ以上がより好ましく、５ｍｍ以下が好ましく、３．５ｍｍ以下がより好ましく、また１ｍｍ以上５ｍｍ以下が好ましく、１．５ｍｍ以上３．５ｍｍ以下がより好ましい。
【００１５】
第２先端突起１４ｃは、人の頭部の毛穴に先端部が入り易くして優れた毛穴の洗浄機能が発揮されるようにする観点、また毛髪を掻き分けつつ撓まず頭皮や毛穴に到達し易くなる観点から、図５に示すように、先端に向けて先細りの形状を有していることが好ましい。同様の観点から、第２先端突起１４ｃは、基部１４ａ側の基端の直径ｄ１が、好ましくは２ｍｍ以下、より好ましくは１．６ｍｍ以下であり、また好ましくは０．５ｍｍ以上、より好ましくは０．８ｍｍ以上であり、また好ましくは０．５ｍｍ以上２ｍｍ以下、より好ましくは０．８ｍｍ以上１．６ｍｍ以下である。
また、第２先端突起１４ｃの先端部の直径ｄ２は、頭部の毛穴に入る大きさ程度の０．３ｍｍ以下であることが好ましく、０．０５ｍｍ以上０．３ｍｍ以下がより好ましい。
【００１６】
本実施形態におけるへら状突起１４は、地肌の洗浄効果及びマッサージ効果、とともに毛穴の洗浄効果も向上するために、第２先端突起１４ｃは、第１先端突起１４ｂに比べて、先端及び基端における太さが第１先端突起より小さいことが好ましい。詳細には、第２先端突起１４ｃの先端部の直径ｄ２だけでなく、基部１４ａ側の基端の直径ｄ１についても、第１先端突起１４ｂの基部１４ａ側の基端の直径ｄよりも小さいことが好ましい。
【００１７】
第２先端突起１４ｃは、図４及び図５（ａ）に示すように、基部１４ａ内に一部が配された樹脂部材１４ｔにおける、該基部１４ａの先端から突出する部分からなる。
より詳細には、第２先端突起１４ｃを構成する樹脂部材１４ｔは、硬軟突起付突起１４の基部１４ａを、その高さ方向に貫通して存在している。樹脂部材１４ｔは、基部１４ａ内において、硬軟突起付突起１４の基端（底盤部１８ａ側）から先端（第２先端突起１４ｃ側）に向けて、先細りの形状を有している。
【００１８】
なお、本実施形態における第２先端突起１４ｃは、横断面形状が円形状であるが、第２先端突起１４ｃの横断面形状は、円形状に限られず、楕円形、三角形、菱形、多角形など異形断面形状等であっても良い。
第２先端突起１４ｃの基端の直径ｄ１、第２先端突起１４ｃの先端部の直径ｄ２、第１先端突起１４ｂの直径ｄ等の直径は、それぞれの断面形状が円形の場合は、その直径を意味し、円形以外の場合は、円相当径（横断面の面積と同じ面積を持つ円の直径）を意味する。
【００１９】
第１の錐体状突起１５は、図１及び図６に示すように、ブラシ面１３から突出するエラストマーで構成された基部１５ａを有し、基部１５ａが円錐台状であると共に、それぞれの先端部分に、エラストマーからなる複数の先端突起１５ｂ，１５ｃを備えている。第１の錐体状突起１５は、頭皮等の地肌の洗浄効果とマッサージ効果を得ることを目的として設けられているが、基部１５ａが円錐台状でへら状突起１４の基部１４ａより変形しにくいため、皮膚により強く押し当てて使用することができる。第１の錐体状突起１５を設けることにより、地肌の洗浄効果及びマッサージ効果を向上させることができるととも毛穴の洗浄効果を向上させることもできる。なお、本願発明の効果を奏する範囲で、円錐台状又は後述の角錐台状は、略円錐台状又は略角錐台状を含む。
【００２０】
第２の錐体状突起１６は、何れも、突起の先端部分に、硬質樹脂からなる第２先端突起１４ｃや複数の先端突起を有しない錐体状突起であり、図７に示すように、ブラシ面１３から突出するエラストマーからなる基部１６ａを有し、先端部分１６ｔが凸曲面状、より詳細には半球状に形成されている。第２の錐体状突起１６は、マッサージ効果を得ることを目的として設けられている。
このように、抜け毛が絡まりにくく、また抜け毛を手で取り除き易く硬軟突起付突起であり、前記硬軟突起付突起は、前記ブラシ面から突出するエラストマーで構成された基部を有し、該突起の先端部分に、エラストマーで構成された第１先端突起、及び第１先端突起を構成するエラストマーより硬い樹脂である硬質樹脂で構成された第２先端突起を有する
【００２１】
前記基台１２は、図３に示すように、底面が楕円形状の装着開口１７ａとして開口し、上面が滑らかな凸曲面となった基台本体１７と、この基台本体１７の装着開口１７ａを閉塞するように嵌め込み固定される複合成形体１８の一部からなる。
複合成形体１８は、エラストマーから形成されたエラストマー部分１９と、該エラストマーより硬い樹脂である硬質樹脂から形成された硬質樹脂部分２０とを有している。本実施形態における複合成形体１８は、エラストマー部分１９と硬質樹脂部分２０とが、２色成形又はインサート成形により一体成形されている。これに代えて、エラストマー部分１９と硬質樹脂部分２０とを、任意の方法により別々に成形したのち、一体化させても良い。
【００２２】
基台本体１７は、例えばポリエチレン、ポリプロピレン等からなるプラスチック製の成形品である。基台本体１７は、例えば長軸の長さが８０〜１００ｍｍ程度、短軸の長さが７０〜９０ｍｍ程度の大きさの平面視楕円形状に形成されている。
基台本体１７には、その内側に、複合成形体１８の底盤部１８ａを配するための装着部１７ｂが設けられており、装着部１７ｂに、複合成形体１８の底盤部１８ａが配し、装着開口１７ａの周縁部と底盤部１８ａの周縁部とに形成された嵌合凸部と嵌合凹部とを嵌合させることで、基台本体１７の装着部１７ｂに、複合成形体１８が固定されている。複合成形体１８の底盤部１８ａは、基台本体１７の装着開口１７ａの開口形状に略一致する平面視楕円形状を有している。
また、基台本体１７の上面には、高波状に後方に反った形状で上方に突出する把持部１１が、基台本体１７の前方部分に設けられている。ここでいう、前方及び後方は、把持部１１を指に挟んで基台１２を手に持ったときに、指先側の一端に向かう方向及び手首側の他端に向かう方向である。
【００２３】
図４に示すように、複合成形体１８の硬質樹脂部分２０は、底盤部１８ａに位置する板状部分２０ａと、該板状部分２０ａから軟突起付突起１４それぞれの内部に向かって突出する突起形成部分１４ｔとを有している。この突起形成部分１４ｔは、硬軟突起付突起１４の基部１４ａを貫通しており、該基部１４ａから更に突出した部分が、第２先端突起１４ｃを形成している。
複合成形体１８のエラストマー部分１９も、底盤部１８ａに位置する板状部分１９ａと、該板状部分１９ａから突出する突起形成部分１９ｂとを有している。
エラストマー部分１９の突起形成部分１９ｂは、硬軟突起付突起１４、第１の錐体状突起１５及び第２の錐体状突起１６のそれぞれに位置において突出している。そして、硬軟突起付突起１４の位置において突出する突起形成部分１９ｂは、軟突起付突起１４における、第１先端突起１４ｂ，１４ｂ、及び基部１４ａにおける、硬質樹脂部分２０の突起形成部分１４ｔを除く部分を形成しており、第１の錐体状突起１５の位置又は第２の錐体状突起１６の位置において突出する突起形成部分１９ｂは、第１の錐体状突起１５又は第２の錐体状突起１６の全体を形成している。
複合成形体１８は、底盤部１８ａを形成するエラストマー部分１９の板状部分１９ａが、基台１２の底面となってブラシ面１３を形成すると共に、ブラシ面１３から突出する部分が、へら状突起１４、第１の錐体状突起１５及び第２の錐体状突起１６を形成している。ブラシ面１３も底盤部１８ａと同様に、平面視楕円形状を有している。
【００２４】
ここで、複合成形体１８のエラストマー部分１９を形成するエラストマー樹脂は、ゴム状弾性を示す高分子であり、天然ゴム（ＮＲ）、ジエン系ゴム、非ジエン系ゴム、熱可塑性エラストマー等を用いることができる。これらの中でも、熱可塑性エラストマーを用いることが、射出成形による成型加工が可能である等の観点から好ましい。
ジエン系ゴムとしては、イソプレンゴム（ＩＲ）、ブタジエンゴム（ＢＲ）、スチレン・ブタジエンゴム（ＳＢＲ）、クロロプレンゴム（ＣＲ）、ニトリルゴム（ＮＢＲ）等が挙げられ、非ジエン系ゴムとしては、ブチルゴム（イソブチエン・イソプレンゴム（ＩＩＲ））、エチレン・プロピレンゴム（ＥＰＭ）、エチレン・プロピレン・ジエンゴム（ＥＰＤＭ）、ウレタンゴム（Ｕ）、シリコーンゴム（Ｑ）等が挙げられる。
熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。
これらのエラストマーは一種を単独で又は２種以上を組み合わせて用いることもできる。
【００２５】
また、複合成形体１８のエラストマー部分１９を形成するエラストマー樹脂は、ＡＳＴＭ  Ｄ２２４０に準拠して測定された硬度（ショアＡ硬度）が、好ましくは３０以上であり、より好ましくは４０以上であり、また、好ましくは８０以下であり、より好ましくは７０以下であり、より具体的には、好ましくは３０以上８０以下であり、より好ましくは４０以上７０以下の素材を用いることが好ましい。
【００２６】
〔ショアＡ硬度の測定方法〕
平らな面に置いた試料の平面に、両手で保持したゴム硬度計の加圧面を真上から一定速度で垂直に押し付け、密着後、１秒以内の値を「硬さ」とする。試料の測定位置は試料の端から１２ｍｍ以上内側、測定箇所の間隔は６ｍｍ以上とする。測定に使用する試料は、長さ及び幅をそれぞれ２５ｍｍ以上、厚みを６ｍｍ以上とし、試験環境は温度２３±２度、湿度５０±５％とする。５ヶ所の中央値あるいは平均値を測定値に採用し、ゴム硬度計（株式会社テクロック製、ＧＳ７０９Ｎ  形式Ａ）で５０を示した場合、ショアＡ硬度は５０（「Ａ５０」）である。
【００２７】
複合成形体１８のエラストマー部分１９を形成するエラストマー樹脂としてこのような素材のものを用いることにより、頭皮を傷つけず、かつ痛くない圧力で、へら状突起１４、第１の錐体状突起１５及び第２の錐体状突起１６を頭皮に押し付けることができる。従って、適度な刺激を与えることが可能となり、優れたマッサージ効果が得られると共に、必要に応じて頭皮や毛髪に塗布した洗浄剤等の作用と相俟って、皮脂の除去や毛穴の洗浄を効率良く行うことが可能になる。なお、毛穴洗浄用ブラシ１０をシャンプーや育毛剤と共に使用する場合には、エラストマー部分１９は、これらに対する耐薬品性に優れているオレフィン系エラストマーやスチレン系エラストマーを用いて形成することが好ましい。具体的なエラストマーとしては、アロン化成株式会社のスチレン系エラストマーである商品名エラストマーＡＲ（前記硬度５５〜６０）等を挙げることができる。
【００２８】
他方、複合成形体１８の硬質樹脂部分２０を形成する樹脂、又は第２先端突起１４ｃを形成する硬質樹脂としては、複合成形体１８のエラストマー部分１９を形成するエラストマー樹脂、又は第１先端突起１４ｂを形成するエラストマーより硬度が高い樹脂を、特に制限なく用いることができる。本発明における硬質樹脂としては、エラストマー樹脂（各種）や、ポリオレフィン、例えば、低密度ポリエチレン（ＬＤＰＥ）、リニアポリエチレン（ＬＬＤＰＥ）、ポリプロレン（ＰＰ）を用いることができる。
複合成形体１８の硬質樹脂部分２０を形成する樹脂、又は第２先端突起１４ｃを形成する硬質樹脂は、前記のショアＡ硬度が６５以上１００以下であるか、又は下記方法により測定したショアＤ硬度が１以上４５以下であることが好ましく、更に好ましくはショアＡ硬度が７０以上である。
複合成形体１８の硬質樹脂部分２０を形成する樹脂と複合成形体１８のエラストマー部分１９を形成するエラストマー樹脂との硬度の差、又は第２先端突起１４ｃを形成する硬質樹脂と第１先端突起１４ｂを形成するエラストマーとの硬度の差は、ショアＡ硬度では、好ましくは１０以上、より好ましくは１５以上であり、ショアＤ硬度では、好ましくは５以上、より好ましくは１０以上である。
【００２９】
〔ショアＤ硬度の測定方法〕
ショアＤ硬度は、株式会社テクロック製のゴム硬度計（ＧＳ７０２Ｎ  形式Ｄ）を用いて測定する。ショアＡ硬度の測定方法と同じ方法で測定し、ゴム硬度計（ＧＳ７０９Ｎ  形式Ｄ）で５０を示した場合、ショアＤ硬度は５０（「Ｄ５０」）である
【００３０】
本実施形態におけるへら状突起１４についてより詳細に説明すると、へら状突起１４は、ブラシ面１３に沿った根元部の横断面形状が、例えば長軸の長さが５〜２０ｍｍ程度、短軸の長さが２〜１５ｍｍ程度の大きさの扁平な楕円形状となっている（図２参照）。また、それと共に、図５（ａ）及び図５（ｂ）に示すように、略相似の断面形状を保持したまま、先端に向かって僅かに先細りの形状となっているへら状の基部１４ａと、へら状の基部１４ａの先端から更に上方に突出する２つの第１先端突起１４ａと、へら状の基部１４ａの先端からさらに上方に突出する１つの第２先端突起１４ｃとからなる。より具体的には、へら状突起１４は、へら状の基部１４ａの先端部分に配置された先端突起として、２種類の先端突起１４ｂ，１４ｃを有しており、第１先端突起１４ｂと第２先端突起１４ｃとは、図５（ｃ）に示すように、扁平な横断面形状の長軸方向Ｘに並べて形成されている。また、第２先端突起１４ｃは、長軸方向Ｘに間隔を置いて形成された２つの第１先端突起１４ｂ間に形成されている。
【００３１】
へら状突起１４の先端部分に設けられた第１先端突起１４ｂは、好ましくは先端が凸曲面状に形成された円錐形状を有している。円錐形状は略円錐形状も含む。
へら状突起１４は、ブラシ面１３から先端までの高さｈ１が、好ましくは１０ｍｍ以上、より好ましくは１５ｍｍ以上であり、また、好ましくは３０ｍｍ以下、より好ましくは２５ｍｍ以下である。
第１先端突起１４ｂは、へら状の基部１４ａの先端からの高さｈ３が、好ましくは２ｍｍ以上、より好ましくは３．５ｍｍ以上、更に好ましくは４ｍｍ以上であり、また好ましくは１５ｍｍ以下、より好ましくは１０ｍｍ以下、更に好ましくは８ｍｍ以下である。
第１先端突起１４ｂの前記高さｈ３は、へら状突起１４の前記高さｈ１に対して、好ましくは５０％以下、より好ましくは４０％以下、更に好ましくは３５％以下であり、また、好ましくは１５％以上、より好ましくは２０％以上である。
【００３２】
また、第２先端突起１４ｃは、へら状の基部１４ａの先端からの高さｈ４が、好ましくは２ｍｍ以上、より好ましくは３．５ｍｍ以上、更に好ましくは４ｍｍ以上であり、また好ましくは１５ｍｍ以下、より好ましくは１０ｍｍ以下、更に好ましくは８ｍｍ以下である。
第２先端突起１４ｃの前記高さｈ４は、へら状突起１４の前記高さｈ１に対して、好ましくは５０％以下、より好ましくは４０％以下、更に好ましくは３５％以下であり、また、好ましくは１５％以上、より好ましくは２０％以上である。
へら状突起１４の先端部分に設けられた第２先端突起１４ｃは、先端部が半球状の凸曲面状とされた錐体状、より具体的には先端部が半球状の凸曲面状とされた円錐状に形成されている。
【００３３】
へら状突起１４の前記高さｈ１は、ブラシ面１３から第１先端突起１４ｂの先端までの高さと、ブラシ面１３から第２先端突起１４ｃの先端までの高さのうちの高い方の高さである。
ブラシ面１３から第１先端突起１４ｂの先端までの高さと、ブラシ面１３から第２先端突起１４ｃの先端までの高さは、同じでも異なっていても良く、何れが高い場合であっても両者の差は、好ましくは２．０ｍｍ以内、より好ましくは１．０ｍｍ以内である。
また、第２先端突起１４ｃは、へら状突起１４の扁平な横断面形状の長軸方向Ｘにおいて、先端突起１４ｂ，１４ｂ間に配置されている。長軸方向Ｘにおける先端突起１４ｂ，１４ｂ間は、例えば根元部における間隔ｓ１が０〜５ｍｍ、好ましくは０．３〜２ｍｍであり、頂部における間隔ｓ２が１〜７ｍｍ、好ましくは２〜５ｍｍである。
【００３４】
第２先端突起１４ｃの高さｈ４は、第１先端突起１４ｂの高さｈ３と同じかやや低いことが好ましく、例えば、第２先端突起１４ｃの高さｈ４は、第１先端突起１４ｂの高さｈ３の、９０％以上１１０％以下であることが好ましく、より好ましくは９５％以上１０５％以下である。
ここでいう、第１先端突起１４ｂの高さｈ３、一つの硬軟突起付突起に複数本の第１先端突起１４ｂを有する場合、第１先端突起１４ｂのうち高さｈ３が最も高いものの該高さを、第１先端突起１４ｂの高さｈ４として、第２先端突起１４ｃの高さｈ４と対比する。
【００３５】
第１先端突起１４ｂそれぞれの高さｈ３とそれぞれの根元部における太さ（直径）ｄとの比（ｈ３／ｄ）は、頭皮に押し当てたときに、毛髪を掻き分けつつ頭皮や毛穴に到達し易くなる観点から、好ましくは１以上、より好ましくは１．２以上であり、また好ましくは３．５以下、より好ましくは３以下である。
第２先端突起１４ｃの高さｈ４とその根元部における太さ（直径）ｄ１との比（ｈ４／ｄ１）も、人の頭部の毛穴に入り易くなり、優れた毛穴の洗浄機能が発揮される観点から、好ましくは２．５以上、より好ましくは４以上であり、また好ましくは１６以下、より好ましくは１３以下である。
【００３６】
本実施形態における第１の錐体状突起１５は、ブラシ面１３に沿った根元部の横断面形状が、例えば直径４〜１０ｍｍ程度の大きさの円形となっている（図２参照）。それと共に、図６にも示すように、略相似の断面形状を保持したまま先端に向かって僅かに先細りの形状となっている円錐台状の基部１５ａと、基部１５ａの先端からさらに上方に突出した複数個の先端突起１５ｂ，１５ｃとからなる。複数個の先端突起１５ｂ，１５ｃは、エラストマーで構成された、基部１５ａと一体成形されている。
【００３７】
第１の錐体状突起１５は、ブラシ面１３から先端までの高さｈ５が、好ましくは１２ｍｍ以上、より好ましくは１５ｍｍ以上、更に好ましくは１７ｍｍ以上であり、また、好ましくは２８ｍｍ以下、より好ましくは２５ｍｍ以下、更に好ましくは２３ｍｍ以下である。
先端突起１５ｂ，１５ｃ（高さが異なる複数の先端突起を有する場合は最も高さが高い先端突起）は、円錐台状の基部１５ａの先端からの高さｈ７が、好ましくは０．５ｍｍ以上、より好ましくは１ｍｍ以上であり、また好ましくは５ｍｍ以下、より好ましくは３ｍｍ以下である。
先端突起１５ｂ，１５ｃの前記高さｈ７は、第１の錐体状突起１５の前記高さｈ５に対して、好ましくは５０％以下、より好ましくは３０％以下であり、また、好ましくは３％以上、より好ましくは５％以上である。
【００３８】
また、第１の錐体状突起１５の先端突起の数は、複数であることが好ましく、環状に並べて形成された先端突起１５ｃの数は、好ましくは３〜１０個であり、更に好ましくは４〜１０個である。また中央の先端突起１５ｂは省略することもできる。
【００３９】
本実施形態の毛穴洗浄用ブラシ１０のブラシ面１３には、図２に示すように、該ブラシ面１３に描いた複数の平行な仮想の直線Ｙ-Ｙ（本実施形態では楕円形状のブラシ面１３の短軸方向と平行な方向に延設する５本の線）によって、複数の突起列Ｒ１〜Ｒ６に分割された状態に、へら状突起１４、第１の錐体状突起１５及び第２の錐体状突起１６が配置されている。そして、５本の線によって分割された６本の突起列Ｒ１〜Ｒ６のうち、両端部分の列を除いた４本の突起列Ｒ２〜Ｒ５には、３個のへら状突起１４と第１又は第２の２個の錐体状突起１５，１６とが交互に配置されている。
【００４０】
また、突起列Ｒ２〜Ｒ５においては、複数個のへら状突起１４とへら状突起間に配置された第１又は第２の錐体状突起１５，１６とが、へら状突起１４の横断面形状の長軸方向（Ｘ方向）と平行な方向にほぼ直列した状態に配置されており、そのような突起列が、該列に直交する方向（ブラシ面１３の長軸方向に沿う方向）に複数列形成されている。隣接する突起列間には、Ｙ-Ｙ線に沿って延びる、突起が配置されていない７〜１５ｍｍの幅の帯状間隔領域（図示せず）が形成されている。このような配置によって、突起１４〜１６の根本部分に対する毛髪の付着やからみ付きを効果的に回避ないし軽減することができると共に、突起列に沿って指をスライドさせたり、シャワーの流水を流すことにより、該根本部分に毛髪が付着したりからみ付いたりしても容易に除去することが可能となる。
【００４１】
上述のような構成を備える本実施形態の毛穴洗浄用ブラシ１０を使用する際には、例えば把持部１１を指の間に挟み込み、ブラシ面１３とは反対側の基台１２の上面に手の平を密着させて、当該上面を覆うようにしてブラシ１０を把持し、ブラシ面１３から突出する複数のへら状突起１４等を頭皮に押し当てた状態でブラシ１０を動かし、必要に応じて洗浄剤、ヘアケア剤、化粧料等を頭皮や毛髪に塗布しつつ、洗髪や毛髪の手入れを行う。
【００４２】
本実施形態の毛穴洗浄用ブラシ１０においては、へら状突起１４の第２先端突起１４ｃは、それぞれ、ブラシ面１３からではなく、ブラシ面１３から突出する基部１４ａから更に突出しているため、第２先端突起１４ｃが容易に頭皮の毛穴に到達するとともに、ブラシ面から突出する場合に比べて、第２先端突起１４ｃを、より強い力で毛穴に接触させることができる。また、頭皮の到達した第２先端突起１４ｃは、その直径ｄ２が小さいことによって先端が毛穴に入り易い。
これにより、本実施形態の毛穴洗浄用ブラシ１０によれば、優れた毛穴洗浄機能が発揮される。また、第１先端突起１４ｂ及び第２先端突起１４ｃが、基部１４ａから突出しているため、それらの毛束に髪の毛が絡み付きにくい上に、第１先端突起１４ｂ及び第２先端突起１４ｃに抜け毛が絡みついても、その抜け毛を指で容易に取り除くこともできる。特に、毛髪の量が多い場合や毛髪が長い場合にも有効である。
【００４３】
しかも、本実施形態の毛穴洗浄用ブラシ１０においては、第２先端突起１４ｃが、エラストマーで構成された第１先端突起１４ｂと共に設けられており、第１先端突起１４ｂ，１５ｂによって髪の毛を掻き分けつつ、毛穴に第２先端突起１４ｃを挿入させることができる。また、先端突起１４ｂによってマッサージ効果も得られる。これにより、毛穴洗浄効果に一層優れている。
【００４４】
また、本実施形態におけるへら状突起１４は、第１先端突起１４ｂを複数有し、第２先端突起１４ｃが第１先端突起１４ｂ，１４ｂ間に存在する。そのため、ブラシ１０を往復に動かしたとき、どちらの方向に移動している間においても、先端突起１４ｂによって髪の毛が掻き分けられ、第２先端突起１４ｃが倒れにくい。そのため、第２先端突起１４ｃが、頭皮（皮膚）の毛穴に一層確実に到達し、優れた毛穴洗浄機能が発揮される。
へら状突起１４の、第１先端突起１４ｂによる毛の掻き分け効果及び第２先端突起１４ｃの倒れ防止効果は、毛穴洗浄用ブラシ１０を、へら状突起の扁平な基部１４ａの長軸方向（Ｘ方向）に往復させた場合に、一層顕著に発現される。
【００４５】
また、本実施形態の毛穴洗浄用ブラシ１０は、毛穴洗浄用ブラシ１０を頭皮Ｓに軽く当てたときには、へら状突起１４における第１先端突起１４ｂ及び第２先端突起１４ｃのみが頭皮Ｓに当たり、より強く頭皮に押し付けることによって、第１の錐体状突起１５の先端突起１５ｂが頭皮に当たり、更に強く押し付けることによって、第２の錐体状突起１６の先端部分が頭皮に当るように設計することも好ましい。それにより、押し付ける力を調節することで、マッサージ効果の強弱をコントロールしつつ、毛穴の洗浄を行うこともできる。
【００４６】
また、本実施形態におけるへら状突起１４の第２先端突起１４ｃは、基部１４ａ内に一部を配した硬質樹脂における、該基部１４ａ先端から突出する部分からなる。そのため、基部１４ａ上において第２先端突起１４ｃが倒れたり、脱離したりすることが防止される。
【００４７】
本実施形態の毛穴洗浄用ブラシ１０においては、図４に示すように、第２先端突起１４ｃを形成する硬質樹脂が、突起の基部１４ａを、各基部の高さ方向に貫通して存在しており、第２先端突起１４ｃを形成する先端側とは反対側の端部が、基台１２におけるブラシ面１３より内側に固定されている。そのため、マッサージなどの強い力で、へら状突起１４が屈曲変形した場合においても、端部Ｅ側の固定状態が安定に維持され、第２先端突起１４ｃの優れた毛穴洗浄機能が確実に発揮される。
また、本実施形態の毛穴洗浄用ブラシ１０においては、第２先端突起１４ｃを形成する硬質樹脂が、へら状突起１４内に貫通して存在していることから、へら状突起１４の剛性が高くなり、頭皮等の被洗浄面に対しての追従性が良好となる。
【００４８】
本実施形態の毛穴洗浄用ブラシ１０の好ましい製造方法においては、エラストマー部分１９と硬質樹脂部分２０とを有する前述した複合成形体１８を２色成形又はインサート成形等により一体形成し、それを基台本体１７の装着開口１７ａに嵌め込んで固定する。
【００４９】
また本実施形態の毛穴洗浄用ブラシ１０は、ブラシ面１３の中央部分（ブラシ面１３の長軸方向及び短軸方向の中央部分）に、複数のへら状突起１４が間隔を置いて直列状に配置された中央突起群１４Ｒを有し、該中央突起群の両側それぞれに第１又は第２の錐体状突起１５，１６が間隔を置いて直列状に配置された第１サイド突起群１５Ｒを有し、更にその外側に、複数のへら状突起１４が間隔を置いて直列状に配置された第２サイド突起群１４Ｒ’を有している。各突起群間には、突起が配置されていない幅２〜５ｍｍの帯状間隔領域が、楕円形状のブラシ面１３の長軸方向に沿って延びている。これにより、突起に髪の毛に絡んだり引っ掛かったりすることが一層防止されると共に、シャワーの流水等による毛髪等の洗い流しも一層良好となる。
【００５０】
図８に示すへら状突起１４Ａは、本発明における硬軟突起付突起の他の好ましい例である。へら状突起１４Ａは、基部１４ａから突出する先端部分に、エラストマーで構成された３つの第１先端突起１４ｂと、隣り合う第１先端突起１４ｂどうし間の配置された、硬質樹脂から構成された２つの第２先端突起１４ｃを有している。
図８に示すへら状突起１４Ａは、毛穴洗浄用ブラシのブラシ面に任意の態様で配置することができる。例えば、第１実施形態の毛穴洗浄用ブラシ１０におけるへら状突起１４の全部を、図８に示すへら状突起１４Ａに置換しても良く、その場合にも、第１実施形態の毛穴洗浄用ブラシ１０と同様の効果が奏される。
【００５１】
図９（ａ）及び図９（ｂ）は、本発明の第２及び第３実施形態の毛穴洗浄用ブラシの要部である錐体状突起２４を示すものである。図９（ａ）及び図９（ｂ）に示す錐体状突起２４は、それぞれ、ブラシ面１３から突出する錐台状の基部２４ａを有し、該突起２４の先端部分に、該基部２４から更に突出する、エラストマーで構成された第１先端突起２４ｂと、第１先端突起２４ｂを構成するエラストマーより硬い樹脂である硬質樹脂で構成された第２先端突起２４ｃとを有している。
図９（ａ）及び図９（ｂ）に示す錐体状突起２４においては、複数個の第１先端突起２４ｂが、基部２４ａの先端面の中央部を囲むように環状に配置され、第１先端突起２４ｂに囲まれた前記中央部に第２先端突起２４ｃが突出している。図９（ａ）に示す錐体状突起２４においては、４個の第１先端突起２４ｂを具備し、図９（ｂ）に示す錐体状突起２４においては、３個の第１先端突起２４ｂを具備する。環状に配置する第１先端突起２４ｂの個数は、３個以上が好ましく、例えば３個以上１０個以下である。
【００５２】
図９（ａ）又は図９（ｂ）に示す錐体状突起２４は、毛穴洗浄用ブラシのブラシ面に任意の態様で配置することができる。例えば、毛穴洗浄用ブラシのブラシ面から突出する複数の突起の全てを、図９（ａ）又は図９（ｂ）に示す錐体状突起２４とすることもでき、ブラシ面から突出する複数の突起のうちの一部の突起を、図９（ａ）又は図９（ｂ）に示す錐体状突起２４とすることもできる。また、一つの毛穴洗浄用ブラシに、硬軟突起付突起として、図５に示すへら状突起１４と、図９（ａ）又は図９（ｂ）に示す錐体状突起２４とを組み合わせて配置することもできる。また、図９（ａ）に示す錐体状突起２４と図９（ｂ）に示す錐体状突起２４とを一つの毛穴洗浄用ブラシに設けることもできる。
【００５３】
図１０は、本発明の第４実施形態の毛穴洗浄用ブラシの要部である硬軟突起付突起３４を示すものである。図１０に示す硬軟突起付突起３４は、ブラシ面１３から突出するへら状の基部３４ａと、該基部３４ａから更に突出する、エラストマーで構成された第１先端突起３４ｂと、第１先端突起３４ｂを構成するエラストマーより硬い樹脂である硬質樹脂から構成された第２先端突起３４ｃとを有している。
そして、その第２先端突起３４ｃの先端部分が、図１０（ｂ）に示すように、複数の小突起３４ｄに分割されている。図１０に示す硬軟突起付突起３４においては、基部３４ａを貫通して該基部３４ａの先端から突出する硬質樹脂により、第２先端突起３４ｃ及び全ての小突起３４ｄが構成されている。
【００５４】
図１０に示すように、第２先端突起３４ｃが、その先端部分が、第２先端突起３４ｃよりも更に小径の小突起３４ｄを有することで、肌に過度の刺激を与えることを防止しつつ、毛穴洗浄効果を向上させることができる。なお、第２先端突起３４が、その先端部分に有する小突起３４ｄの個数は、２個、３個又は５個以上でも良く、例えば２個以上１０個以下であることが好ましい。小突起３４ｄは、先細り形状であることが好ましいが、先細り形状のものに制限されない。
【００５５】
なお、第１実施形態の毛穴洗浄用ブラシ１０における硬軟突起付突起の第１先端突起１４ｂ及び第２先端突起１４ｃについての説明は、矛盾しない限り、図８に示すへら状突起１４や第２〜第４実施形態における硬軟突起付突起の第１先端突起及び第２先端突起の説明として適用可能である。
【００５６】
本発明は上述した各実施形態に限定されることなく種々の変更が可能である。
例えば、第１実施形態の毛穴洗浄用ブラシは、ブラシ面に、へら状突起１４、第１の錐体状突起１５及び第２の錐体状突起１６を有するものであったが、これに代えて、ブラシ面に、へら状突起１４のみが形成されていても良く、へら状突起１４と、第１の錐体状突起１５及び第２の錐体状突起１６の一方のみが形成されていても良い。また、へら状突起１４の配置は多様に変形可能であり、例えば、ブラシ面１３の長軸方向に直列した複数のへら状突起１４からなる列が、１本のみ形成されていても良いし、ブラシ面１３の短軸方向に直列した複数のへら状突起１４からなる列が、１本のみ形成されていても良い。また、ブラシ面１３の全域に亘って、へら状突起１４と第１の錐体状突起１５とが千鳥状に配置されていても良い。
【００５７】
また、第１実施形態の毛穴洗浄用ブラシにおけるへら状突起１４の一部を、へら状の基部１４ａ及び第１先端突起１４ｂを有する一方、第２先端突起１４ｃを有しないものに置換しても良い。また、硬軟突起付突起は、第１先端突起１４ｂと第２先端突起１４ｃとをそれぞれ１個のみ有するものであっても良い。また、第１実施形態の毛穴洗浄用ブラシから、第１の錐体状突起１５又は第２の錐体状突起１６を無くし、その代わりに図９（ａ）又は図９（ｂ）に示す錐体状突起２４を配置しても良い。
【００５８】
また、へら状突起１４，１４Ａ，３４は、基部１４ａ，３４ａが楕円の横断面形状の他、長円や矩形等のその他の扁平な横断面形状を有するものであっても良く、第１の錐体状突起１５、第２の錐体状突起１６及び図９に示す錐体状突起２４は、それぞれ、略円錐形状の他、角錐形状等であっても良い。さらに、へら状突起１４及び第１の錐体状突起１５の先端突起は、円錐形状以外のその他の形状のものであって良い。
【００５９】
また、第１の錐体状突起１５は、基部１５ａの先端面の中央に配された先端突起１５ｂのみを有するものであっても良いし、先端面に環状に配された先端突起１５ｃのみを有するものであっても良い。また錐体状突起１５，１６，２４として、基部１５ａ，２４ａが円錐台状のものに代えて、基部１５ａ，２４ａが角錐台状のものや、基部１５ａ，２４ａの横断面形状が楕円形のもの等を設けても良い。角錐台状の基部としては、横断面形状が三角、四角、五角形、菱形等の多角形状のものが挙げられる。
また、本発明の毛穴洗浄用ブラシは、基台１２から突出する把持部１１を有しないものであっても良いし、環状の挿入部に手を挿入して手に装着可能なもの等であっても良い。
【００６０】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
本発明の毛穴洗浄用ブラシは、頭部以外の毛穴に使用しても良く、また、ペットや家畜等の身体や体毛のケア用に用いることもできる。
【符号の説明】
【００６１】
１０  毛穴洗浄用ブラシ
１１  把持部
１２  基台
１３  ブラシ面
１４，１４Ａ,３４  へら状突起（硬軟突起付突起）
１４ａ，３４ａ    基部
１４ｂ，３４ｂ  第１先端突起
１４ｃ，３４ｃ  第２先端突起
１５  第１の錐体状突起
１５ａ  基部
１５ｂ，１５ｃ  先端突起
１６  第２の錐体状突起
１７  基台本体
２４  錐体状突起（硬軟突起付突起）
２４ａ    基部
２４ｂ  第１先端突起
２４ｃ  第２先端突起
【図１】
0006654429.tif 000002
【図２】
0006654429.tif 000003
【図３】
0006654429.tif 000004
【図４】
0006654429.tif 000005
【図５】
0006654429.tif 000006
【図６】
0006654429.tif 000007
【図７】
0006654429.tif 000008
【図８】
0006654429.tif 000009
【図９】
0006654429.tif 000010
【図１０】
0006654429.tif 000011